(57)【特許請求の範囲】
【請求項１】
鼻隠し板の前面に吊金具によって軒樋が吊着され、かつ照明支持金具によって照明ユニットが支持される軒樋及び照明ユニットの取付構造であって、照明支持金具は、吊金具の吊金具取付部に当接される支持金具取付部と、当該支持金具取付部の下端部に設けられた、照明ユニットを支持する照明支持部とを有しており、この照明支持金具の支持金具取付部が吊金具の吊金具取付部に当接した状態で、これら支持金具取付部及び吊金具取付部が鼻隠し板前面に固定されており、照明支持金具の照明支持部は、支持金具取付部の下端から下方に延設されてその先端部が前方に折曲された後支持板と、支持金具取付部の下端から前方に突設された上支持板と、この上支持板の前端から垂下してその先端部が後方に折曲された前支持板とにより構成されており、この照明支持部に照明ユニットを挿通させて支持することを特徴とする軒樋及び照明ユニットの取付構造。
【請求項２】
吊金具及び照明支持金具は、吊金具の吊金具取付部及び照明支持金具の支持金具取付部の各々に設けられたビス挿通孔に固定ビスを挿通させて鼻隠し板にビス止めして固定されており、前記支持金具取付部に設けられたビス挿通孔の形状が長孔形状であることを特徴とする請求項１に記載の軒樋及び照明ユニットの取付構造。
【請求項３】
勾配を持った鼻隠し板に取り付け固定される照明支持金具の照明支持部は、軒樋の背面と鼻隠し板の前面との位置に配置されることを特徴とする請求項１または２に記載の軒樋及び照明ユニットの取付構造。
【発明の詳細な説明】
【技術分野】
【０００１】
本願発明は、鼻隠し板の前面に吊金具によって軒樋が吊着され、かつ照明支持金具によって照明ユニットが支持される軒樋及び照明ユニットの取付構造に関するものである。
【背景技術】
【０００２】
従来より、軒先をイルミネーション照明で装飾したり、防犯対策あるいは足元を照らしたりするなどの安全対策のために、住宅の軒先に照明ユニットを設けることが知られている。たとえば、特許文献１では、軒樋の後壁部と軒先前面との間に形成される間隔スペース内に照明器具を収容し、同間隔スペースの下方開口部を閉塞する透光板を設けた軒樋装置が提案されている。
【特許文献１】特開平８−３２６２４２号公報
【発明の開示】
【発明が解決しようとする課題】
【０００３】
本願発明は、以上の通りの背景から、さらに別の軒樋装置として、ＬＥＤ等の照明ユニットを軒樋とともに鼻隠し板に取り付け、防犯対策、足元照明、イルミネーション等の効果的な夜間照明を実現することのできる軒樋及び照明ユニットの取付構造を提供することを課題としている。
【課題を解決するための手段】
【０００４】
本願発明の軒樋及び照明ユニットの取付構造は、前記の課題を解決するものとして、第１には、鼻隠し板の前面に吊金具によって軒樋が吊着され、かつ照明支持金具によって照明ユニットが支持される軒樋及び照明ユニットの取付構造であって、照明支持金具は、吊金具の吊金具取付部に当接される支持金具取付部と、当該支持金具取付部の下端部に設けられた、照明ユニットを支持する照明支持部とを有しており、この照明支持金具の支持金具取付部が吊金具の吊金具取付部に当接した状態で、これら支持金具取付部及び吊金具取付部が鼻隠し板前面に固定されており、照明支持金具の照明支持部は、支持金具取付部の下端から下方に延設されてその先端部が前方に折曲された後支持板と、支持金具取付部の下端から前方に突設された上支持板と、この上支持板の前端から垂下してその先端部が後方に折曲された前支持板とにより構成されており、この照明支持部に照明ユニットを挿通させて支持することを特徴とする。
【０００６】
また、第２には、上記第１の軒樋及び照明ユニットの取付構造において、吊金具及び照明支持金具は、吊金具の吊金具取付部及び照明支持金具の支持金具取付部の各々に設けられたビス挿通孔に固定ビスを挿通させて鼻隠し板にビス止めして固定されており、前記支持金具取付部に設けられたビス挿通孔の形状が長孔形状であることを特徴とする。
【０００７】
さらに、本願発明は、第３には、上記第１または第２の軒樋及び照明ユニットの取付構造において、勾配を持った鼻隠し板に取り付け固定される照明支持金具の照明支持部は、軒樋の背面と鼻隠し板の前面との位置に配置されることを特徴とする。
【発明の効果】
【０００８】
上記第１の発明は、照明支持金具が、吊金具の吊金具取付部に当接される支持金具取付部と、当該支持金具取付部の下端部に設けられた、照明ユニットを支持する照明支持部とを有しており、この照明支持金具の支持金具取付部が吊金具の吊金具取付部に当接した状態で、これら支持金具取付部及び吊金具取付部が鼻隠し板前面に固定されていることにより、防犯対策、足元照明、イルミネーション等の効果的な夜間照明を実現することができる。また、照明ユニットの設置箇所を容易に確保することができ、外観良好な照明ユニットの取り付けが実現される。
【０００９】
照明支持金具の照明支持部が、支持金具取付部の下端から下方に延設されてその先端部が前方に折曲された後支持板と、支持金具取付部の下端から前方に突設された上支持板と、この上支持板の前端から垂下してその先端部が後方に折曲された前支持板とにより構成されており、この照明支持部に照明ユニットを挿通させて支持することにより、照明ユニットの照明支持部への取り付け作業が容易になるだけでなく、その取り付けを確実なものとすることができる。
【００１０】
上記第２の発明は、吊金具及び照明支持金具が、吊金具の吊金具取付部及び照明支持金具の支持金具取付部の各々に設けられたビス挿通孔に固定ビスを挿通させて鼻隠し板にビス止めして固定されており、前記支持金具取付部に設けられたビス挿通孔の形状が長孔形状であることにより、ビス挿通孔の位置が異なる各種の吊金具に対して、その吊金具に対応した取付部を有する照明支持金具を用いることなく、取付部と吊金具のそれぞれのビス挿通孔に固定ビスを容易に挿通させることができる。このため、この照明支持金具は各種の軒樋の吊金具に適合させることができその適用範囲が広がるとともに、より簡便な鼻隠し板への取り付け作業が実現できる。
【００１１】
上記第３の発明は、勾配を持った鼻隠し板に取り付け固定される照明支持金具の照明支持部が、軒樋の背面と鼻隠し板の前面との位置に配置されることにより、外観がより良好になって、体裁がさらに一層改善される。
【発明を実施するための最良の形態】
【００１２】
〔第一の実施形態〕
本願発明は前記のとおりの特徴をもつものであるが、以下に、発明を実施するための最良の形態を図面に基づいて説明する。図１は本願発明の軒樋及び照明ユニットの取付構造の一実施形態を示す断面図である。図２は照明支持金具と吊金具との鼻隠し板へのビス止めを説明するための斜視図である。図３は複数の照明支持金具で照明ユニットを支持している様子を示す斜視図である。
【００１３】
図１に例示したように、本願発明の取付構造では、軒樋５が吊金具２によって吊着され、照明ユニット３が照明支持金具１によって支持されている。この照明支持金具１は、吊金具２の吊金具取付部２１に当接される支持金具取付部１１と、当該支持金具取付部１１の下端部に設けられた、照明ユニット３を支持する照明支持部１２とを有しており、この照明支持金具１の支持金具取付部１１が吊金具２の吊金具取付部２１に当接した状態で、これら支持金具取付部１１及び吊金具取付部２１が鼻隠し板４前面に固定されている。なお、照明ユニット３とは、ＬＥＤライト、蛍光灯、ハロゲンライト等の照明器具をケース体に内蔵させるなどしてユニット化したもののことをいう。
【００１４】
照明支持部１２は、照明ユニット３を吊着あるいはビス止め等によって支持するもので、その形状については照明ユニット３の形状によって適宜に設定される。
【００１５】
たとえば、図１〜図３では、照明ユニット３の形状が長尺角筒形状となっており、この場合、照明支持部１２の形状は、照明支持部１２の下面部に溝状の開口部１３を有する、略断面コ字形状であることが考慮される。
【００１６】
より具体的には、照明支持部１２を形成する支持板１２１が、支持金具取付部１１の下端から下方に延設されてその先端部が前方に折曲された後支持板１２１ａと、支持金具取付部１１の下端から前方に突設された上支持板１２１ｂと、この上支持板１２１ｂの前端から垂下してその先端部が後方に折曲された前支持板１２１ｃとにより構成されており、これらの支持板１２１によって包囲された照明支持部１２に照明ユニット３を挿通させるようにして、照明ユニット３を支持している。
【００１７】
これによって、照明ユニット３の照明支持部１２への取り付け作業が容易になるだけでなく、その取り付けを確実なものとすることができる。また、照明支持部１２の開口部１３からは照明ユニット３の光が効果的に照射される。
【００１８】
そして、図３に例示したように、以上の通りの複数の照明支持金具１が所定間隔で設けられ、それらによって照明ユニット３を確実に支持している様子を示している。また、同様にして、照明ユニット３の形状が長尺円筒形状の場合には、照明支持部１２の形状は、その断面が照明ユニット３の形状に合わせて環状に形成されることが考慮される。
【００１９】
照明支持金具１と吊金具２の鼻隠し板４への取り付けは、たとえば、固定ビス７によってビス止めして固定してもよい。この場合、図２に例示したように、吊金具２の吊金具取付部２１及び照明支持金具１の支持金具取付部１１にはそれぞれビス挿通孔６，６’を設ける。そして、吊金具取付部２１及び支持金具取付部１１のビス挿通孔６，６’の位置を一致させるようにし、各々のビス挿通孔６，６’に固定ビス７を順次挿通させて鼻隠し板４に螺着することで、照明支持金具１と吊金具２を鼻隠し板４に固定するようにしている。照明支持金具１の支持金具取付部１１は、吊金具２の吊金具取付部２１の台座としても機能しており、吊金具２はより確実に鼻隠し板４に固定される。
【００２０】
照明支持金具１の支持金具取付部１１に設けられるビス挿通孔６’については、たとえば、図４に例示したように、長孔形状としてもよい。図４では、上下方向あるいは左右方向に長孔形状のビス挿通孔６’を穿設している。ビス挿通孔６’を長孔形状とすることで、ビス挿通孔６の位置が異なる各種の吊金具２に対しても、照明支持金具１の支持金具取付部１１と吊金具２の吊金具取付部２１のそれぞれのビス挿通孔６，６’に固定ビス７を容易に挿通させて固定することができる。
【００２１】
もちろん、このビス挿通孔６’の形状については、図４のような上下方向あるいは左右方向の長孔形状に限定されるものではなく、各種の吊金具２に対応できるよう、任意の方向や長さに適宜設定することができる。
【００２２】
以上のような長孔形状のビス挿通孔６’を設けることで、各種の軒樋５の吊金具２に適合可能となり、照明支持金具１の適用範囲を広げることになる。さらに、吊金具２の種類によって照明支持金具１の種類を変更する必要がないため、より簡便な鼻隠し板４への取り付け作業が実現できコストダウンを図ることができる。
〔第二の実施形態〕
本願発明の取付構造は、図1〜３のように鼻隠し板４が鉛直方向に延設された場合に限られるものではなく、例えば、図５のように勾配を持った鼻隠し板４にも照明ユニット３を取り付けることができる。このとき、照明支持金具１における支持金具取付部１１も同様に勾配を持たすことが考慮される。さらに、勾配を持った鼻隠し板４に取り付けた場合には、吊金具２に吊着された軒樋５の背面と鼻隠し板４の前面との間にはより大きな隙間が生じるため、その隙間に照明支持部１２を配置するようにしてもよい。
【００２３】
これによって、照明ユニット３と照明支持部１２が軒樋５の背面に位置して直接的に曝されることがなくなるため、外観がより良好になり、体裁がさらに一層改善される。
【００２４】
照明支持金具１の支持金具取付部１１と照明支持部１２は、別体あるいは一体化されていてもよく、別体とする場合には、たとえば、連結部材等によって両者を連結させていてもよい。このとき、連結部材によって任意の角度で支持金具取付部１１に勾配を持たすように設定することが可能となる。
【図面の簡単な説明】
【００２５】
【図１】本願発明の軒樋及び照明ユニットの取付構造の一実施形態を示す断面図である。
【図２】照明支持金具と吊金具の鼻隠し板へのビス止めを説明するための斜視図である。
【図３】複数の照明支持金具で照明ユニットを支持している様子を示す斜視図である。
【図４】長孔形状のビス挿通孔が穿設された取付部の正面図である。
【図５】本願発明の軒樋及び照明ユニットの取付構造の別の実施形態を示す断面図である。
【符号の説明】
【００２６】
１  照明支持金具
１１  支持金具取付部
１２  照明支持部
１２１  支持板
１２１ａ  後支持板
１２１ｂ  上支持板
１２１ｃ  前支持板
１３  開口部
２  吊金具
２１  吊金具取付部
３  照明ユニット
４  鼻隠し板
５  軒樋
６、６’  ビス挿通孔
７  固定ビス
【図４】
0004618076.tif 000002
【図１】
0004618076.tif 000003
【図２】
0004618076.tif 000004
【図３】
0004618076.tif 000005
【図５】
0004618076.tif 000006